(57)【特許請求の範囲】
【請求項１】
支持部材に取り付けるための取付金具と、
パネルを前記取付金具に支持させるための防水ボルトと、
を備えるパネル支持具であって、
前記防水ボルトは、両端にねじ部を有し、当該両端のねじ部には、ナットと回り止め用プレートを固着したプレートナットとがそれぞれ装着され、前記両端のねじ部の中央部の軸部に環状のフランジを一体的に設け、当該フランジは前記パネルに対向する面に環状凹部とその周縁に形成される縁部とを備えるとともに、当該環状凹部に配設したシール材を覆う外径とし、
前記防水ボルトを前記パネルに予め設置された前記プレートナットに、一方のねじ部をねじ込むことで前記プレートナットと前記環状凹部にシール材を配設したフランジとの間で前記パネルを支持するとともに、前記取付金具のボルト穴から突出する他方のねじ部に前記ナットを装着して前記支持部材に取り付けるようにした
ことを特徴とするパネル支持具。
【請求項２】
前記取付金具は、取付本体とパネルを支持する脚とを有し、当該脚には切欠きが設けられている
ことを特徴とする請求項１に記載のパネル支持具。
【請求項３】
隣接配置されるパネルと、
支持部材に取り付けるための取付金具及び前記パネルを前記取付金具に支持させるための防水ボルトを有するパネル支持具と、を備え、
前記防水ボルトは、両端にねじ部を有し、当該両端のねじ部には、ナットと回り止め用プレートを固着したプレートナットとがそれぞれ装着され、前記両端のねじ部の中央部の軸部に環状のフランジを一体的に設け、当該フランジは前記パネルに対向する面に環状凹部とその周縁に形成される縁部とを備えるとともに、当該環状凹部に配設したシール材を覆う外径とし、
前記防水ボルトを前記パネルに予め設置された前記プレートナットに、一方のねじ部をねじ込むことで前記プレートナットと前記環状凹部にシール材を配設したフランジとの間で前記パネルを支持するとともに、前記取付金具のボルト穴から突出する他方のねじ部に前記ナットを装着して前記支持部材に取り付け、
前記パネルのそれぞれの端部を前記パネル支持具で支持するようにした
ことを特徴とするパネル支持構造。
【請求項４】
前記取付金具は、取付本体とパネルを支持する脚とを有し、
前記脚には切欠きが設けられている
ことを特徴とする請求項３に記載のパネル支持構造。
【請求項５】
前記隣接配置された前記パネル間の目地部には、目地コーキング材が設けられる
ことを特徴とする請求項３又は４に記載のパネル支持構造。
【請求項６】
前記パネルは、アルミハニカムパネルからなる
ことを特徴とする請求項３ないし５のいずれか一項に記載のパネル支持構造。
【発明の詳細な説明】
【技術分野】
【０００１】
本発明は、建築物の屋根板、天井板、床板あるいは外壁等のパネルを鉄骨製の柱、梁等の支持部材に取付け固定するパネル支持具及びパネル支持構造に関する。
【背景技術】
【０００２】
従来のパネル支持構造としては、長方形状の屋根板等のパネルを多数並べて、隣接するパネル同士を建築物の屋根や梁等に固定して支持し、パネル間の目地をコーキング材などで防水処理を施したパネル支持構造が知られている。
【０００３】
本出願人は、建築物の屋根板等の梁等に取付け固定するアルミハニカムパネル等のパネル支持構造を提案している（特許文献１参照）。このパネル支持構造は、図４及び図５に示すように、躯体側の梁等であるＨ形鋼からなる支持部材１００にアルミハニカムパネル２００を取付金具１０２を介して取り付けて支持するようにした構成を主として備えている。
【０００４】
前記支持部材１００には、その下面から延長してブラケット１０１が設けられており、このブラケット１０１に取付金具１０２の取付脚１０２ａがボルト・ナット１０３により固定されている。一方、取付金具１０２のパネル支持脚１０２ｂには、アルミハニカムパネル２００がパネル支持具であるボルト・ナット１０４により固定され支持されている。
【０００５】
前記取付金具１０２のパネル支持脚１０２ｂとアルミハニカムパネル２００との間には、止水プレート１０６と高さ調整用のスペーサ１０７とが配置されている。さらに、この止水プレート１０６とパネル支持脚１０２ｂとの間には、シール材を装着した防水ワッシャ１０５が介設されている。そして、アルミハニカムパネル２００をボルト・ナット１０４によりパネル支持脚１０２ｂに取り付けた後、この止水プレート１０６の周囲にコーキング材１０９が充填される。
【０００６】
このパネル支持構造においては、隣接配置されたアルミハニカムパネル２００の目地部に対する雨水等の防水処理として、目地コーキング材２０１の充填による防水処理が施されている。また、取付金具１０２下方の部分に対する防水処理としては、パネル支持具であるボルト・ナット１０４のねじ穴を伝わる浸水に対して、防水ワッシャ１０５によりアルミハニカムパネル２００内への防水を図るとともに、止水プレート１０６下側の空間１０６ａ（図５参照）からの浸水に対しては、この止水プレート１０６の周囲に充填したコーキング材１０９により止水プレート１０６周囲の隙間部分を塞ぐことで防水を図っている。また、この止水プレート１０６周囲のコーキング材１０９により、取付金具１０２下方の目地部に対するコーキングの施工不良や困難性の問題の改善を図っている。
【特許文献１】特許第３４４０３７８号公報（段落００１３〜００２７、図１）
【発明の開示】
【発明が解決しようとする課題】
【０００７】
しかしながら、特許文献１の従来技術にあっては、次のような問題があった。
（１）止水プレート１０６の周囲に充填するコーキング材１０９の打設前においては、図５の矢印で示すように、アルミハニカムパネル２００に形成されたボルト穴からアルミハニカムパネル２００内に雨水等の水が浸入するという問題がある。
（２）また、製作あるいは施工誤差により取付金具１０２とアルミハニカムパネル２００とが平行に施工されない（図５でθ＞０の場合）と、防水ワッシャ１０５に均一な力が加わらなくなり、傾斜した点接触状態となり取付金具１０２とアルミハニカムパネル２００との接合部に隙間が生じやすくなる。このような接合部の隙間の発生により、防水ワッシャ１０５の防水性能が低下し、その結果、図５の矢印で示すように、ボルト・ナット１０４を伝わりアルミハニカムパネル２００内に雨水等の水が入りやすくなるという問題がある。
（３）さらに、アルミハニカムパネル２００内に雨水等の水が入ると、アルミハニカムパネル２００の構成部材を接合している接着剤に対する接着性能が低下するという問題が発生する。
【０００８】
本発明が解決しようとする課題は、前記した問題点に鑑み、ボルトとボルト穴との隙間や取付金具等の製作、施工誤差によるパネル支持部の隙間からパネル内への浸水を防止するようにしたパネル支持具及びパネル支持構造を提供することである。
【課題を解決するための手段】
【０００９】
本発明は、前記課題を解決するために次の手段を講じたものである。
請求項１のパネル支持具は、支持部材に取り付けるための取付金具と、パネルを前記取付金具に支持させるための防水ボルトと、を備えるパネル支持具であって、前記防水ボルトは、両端にねじ部を有し、当該両端のねじ部には、ナットと回り止め用プレートを固着したプレートナットとがそれぞれ装着され、前記両端のねじ部の中央部の軸部に環状のフランジを一体的に設け、当該フランジは前記パネルに対向する面に環状凹部とその周縁に形成される縁部とを備えるとともに、当該環状凹部に配設したシール材を覆う外径とし、前記防水ボルトを前記パネルに予め設置された前記プレートナットに、一方のねじ部をねじ込むことで前記プレートナットと前記環状凹部にシール材を配設したフランジとの間で前記パネルを支持するとともに、前記取付金具のボルト穴から突出する他方のねじ部に前記ナットを装着して前記支持部材に取り付けるようにしたことを特徴とする。
【００１０】
請求項２のパネル支持具は、請求項１のパネル支持具において、前記取付金具は、取付本体とパネルを支持する脚とを有し、当該脚には切欠きが設けられていることを特徴とする。
【００１２】
請求項３のパネル支持構造は、隣接配置されるパネルと、支持部材に取り付けるための取付金具及び前記パネルを前記取付金具に支持させるための防水ボルトを有するパネル支持具と、を備え、前記防水ボルトは、両端にねじ部を有し、当該両端のねじ部には、ナットと回り止め用プレートを固着したプレートナットとがそれぞれ装着され、前記両端のねじ部の中央部の軸部に環状のフランジを一体的に設け、当該フランジは前記パネルに対向する面に環状凹部とその周縁に形成される縁部とを備えるとともに、当該環状凹部に配設したシール材を覆う外径とし、前記防水ボルトを前記パネルに予め設置された前記プレートナットに、一方のねじ部をねじ込むことで前記プレートナットと前記環状凹部にシール材を配設したフランジとの間で前記パネルを支持するとともに、前記取付金具のボルト穴から突出する他方のねじ部に前記ナットを装着して前記支持部材に取り付け、前記パネルのそれぞれの端部を前記パネル支持具で支持するようにしたことを特徴とする。
【００１４】
請求項４のパネル支持構造は、請求項３のパネル支持構造において、前記取付金具は、取付本体とパネルを支持する脚とを有し、前記脚には切欠きが設けられていることを特徴とする。
【００１５】
請求項５のパネル支持構造は、請求項３又は４のパネル支持構造において、前記隣接配置された前記パネル間の目地部には、目地コーキング材が設けられることを特徴とする。
【００１６】
請求項６のパネル支持構造は、請求項３ないし５のいずれか一項のパネル支持構造において、前記パネルは、アルミハニカムパネルからなることを特徴とする。
【発明の効果】
【００１７】
本発明のパネル支持具によれば、簡単な構造の防水ボルトによって、取付施工に先立ち、地上等の現場での足場のよい場所において、防水ボルトの一方のねじ部をパネル等にねじ込んでおいてから所定高さに設置した取付金具に他方のねじ部を挿通しナットで締め付けることで固着することができ、しかも、取付施工が複雑な調整や手間を要することなく簡単に行うことができる。
【００１８】
また、本発明のパネル支持具によれば、防水ボルトの軸部にフランジを一体に設けたので、防水ボルトのねじ部から軸部に沿って流れる雨水等は、さらにフランジに沿ってパネル表面へと流れるが、このフランジに配設したシール材によって、ボルト穴等の隙間を通ってパネル等の内部へ浸入する雨水等を確実に防止することができる。
【００１９】
本発明のパネル支持構造によれば、防水ボルトに配設したシール材によって、ボルト穴等の隙間を通って前記パネルの内部に浸入する雨水等の防水を確実に防止することができる。
【００２０】
また、本発明のパネル支持構造によれば、パネル支持構造の部品点数が従来よりも少ない点数で済み、これと共に施工工数を少なくできる。これにより、パネル支持構造の部品生産費及び施工費等の面でも、全体としてのコストの低減が図れる。
【００２１】
また、本発明のパネル支持構造によれば、パネルと支持部材との間の高さ調整は、例えば、防水ボルトのフランジと取付金具との間にワッシャ又は馬蹄形状のスペーサ等を介在させるという簡単な作業で調整することができる。
【００２２】
また、本発明のパネル支持構造によれば、パネルと取付金具との取り付けの際に、従来のような製作、施工誤差に起因する不平行による隙間があっても、その隙間からの浸水は、防水ボルトに配設したシール材自体の弾性変形でシールすることができ、確実に防水を図ることができる。
【００２３】
さらに、本発明のパネル支持構造において、切欠きが設けられた取付金具の脚を備える構成によれば、この切欠きからコーキングガン等を差し入れることができるので、取付金具下方における目地部に対するコーキング施工を容易に行うことができる。
【発明を実施するための最良の形態】
【００２４】
本発明のパネル支持具及びパネル支持構造の実施形態を図面を参照しつつ詳細に説明する。図１は、本発明に係るパネル支持具及びパネル支持構造を説明する斜視説明図である。図２は、本発明に係るパネル支持具及びパネル支持構造の断面説明図である。図３の（ａ）は、本発明に係るパネル支持具における防水ボルトを示し、（ｂ）は、防水ボルトに配設するシール材の説明図である。（ｃ）は、防水ボルトにシール材を配設する説明図である。
【００２５】
本実施形態のパネル支持具は、図１に示すように、取付金具３と、防水ボルト５と、シール材６とから主として構成されている。本実施形態のパネル支持構造は、図１に示すように、支持部材１に取り付けるための取付金具３と、パネル１０を取付金具３に支持させるための防水ボルト５及びシール材６とから主として構成されている。
【００２６】
（支持部材）
図１に示すように、支持部材１は、建築構造物の柱や梁の使用されるＨ形鋼等の鋼材から形成されるのが好ましい。本実施形態ではＨ形鋼を横架してＨ形鋼の両辺が上下となるように配置した例の支持部材１で示している。この支持部材１には、下側の辺の中央から鉛直下方へ延長して延びるブラケット２が設けられている。このブラケット２は、後記するパネル１０を支持するための取付金具３，３が取り付けられるもので、取付金具３，３をボルト・ナット４で取り付けて固着するための長穴が設けられている。この長穴は、取付金具３の取付位置を調整するためのものである。
【００２７】
（取付金具）
取付金具３は、図１及び図２に示すように、取付本体３ａと支持脚３ｂとを有する。この取付金具３において、一方の取付本体３ａは、取付金具３を前記ブラケット２に取り付けるためのものである。また、他方の支持脚３ｂは、パネルを支持するためのものである。
図１に示すように、本実施形態では、取付金具３は、所定寸法に切断された断面Ｌ字状のアングル形鋼の両辺により、取付本体３ａと支持脚３ｂとを形成した例で説明する。しかしながら、本発明の取付金具は、アングル形鋼で形成されるものに限定されるものではなく、一つの取付本体とこれに直交する二つの支持脚を持つ、例えば、断面逆Ｔ字状の鋼材等で形成したものでもよいが、アングル形鋼を所定寸法の長さに切断して形成されたものを用いるのが好ましい。
【００２８】
取付金具３の支持脚３ｂには、必要に応じて切欠きを設けてもよい。本実施形態では、支持脚３ｂの中間部分に切欠き９が形成されている。この切欠き９を設けることの利点は、シーリング剤を取付金具３の下側に塗布する際、コーキングガン等の差し入れを容易に行うことができることである。したがって、切欠き９は、この目的に沿うものであれば、支持脚３ｂの中間部分以外の部分に形成されるものでもよい。また、取付金具３の取付本体３ａ及び支持脚３ｂには、ボルト挿通用の長穴が形成されている。本実施形態においては、図１に示すように、前記長穴として、取付本体３ａには支持部材１に沿って水平方向に延びる一つのボルト穴が形成されており、支持脚３ｂにはこれと直交する方向に延びる二つのボルト穴が形成されている。前記切欠き９は、支持脚３ｂに設けた二つのボルト穴の間に形成されている。このボルト穴の数も、適宜の数にて形成されるものであってよい。
【００２９】
（防水ボルト）
図１及び図２に示すように、防水ボルト５は、取付金具３の支持脚３ｂにパネル１０を取り付けるための固着具である。この防水ボルト５は、シール材６と共に使用すると、簡単な構成でありながら、パネル１０に形成された取付用ボルト穴から雨水がパネル１０内部へ浸水するのを確実に防止することができる。本実施形態の防水ボルト５は、この防水機能を付与するために、本発明において特に工夫されたものである。
【００３０】
防水ボルト５は、図３に示すように、軸の両方の端部側にねじ部５ｃ，５ｃを有し、中央部の軸部に当該軸部よりも大径で所定の厚みを有する環状のフランジ５ａを備えて構成されている。当該フランジ５ａの少なくとも一方の面には、軸部の外周に環状凹部５ｂが形成されている。この環状凹部５ｂの形成によって、フランジ５ａの前記一方の面には縁部５ｄが設けられる。
【００３１】
この防水ボルト５の使用態様は、一般の植込ボルトと同様にして用いられるものであり、図１及び図２において防水ボルト５の下方に示す一方のねじ部５ｃは、パネル１０内に予め固定されたプレートナット８に植え込まれ、図１及び図２において上方に示す他方のねじ部５ｃは、前記取付金具３の支持脚３ｂのねじ穴に挿通された後、外方からナット７を装着して締め付けるようになっている。
【００３２】
防水ボルト５に形成する環状凹部５ｂには、所定の厚みを有する円環状のシール材６が装着されるようになっている。このシール材６は、合成樹脂や合成ゴム等の弾性を有する材料を主成分とするものであって、雨水等に対する防水機能を有する材料で形成されることが好ましい。シール材６の形状は、円環状に形成された環状円板のものが好ましいが、Оリング状のものでもよい。
【００３３】
シール材６は、防水ボルト５の前記フランジ５ａの面とパネル１０との間において、防水ボルト５のねじ締めにより圧縮された状態で前記雨水等に対する十分な防水機能を発揮するような自由状態での厚みに形成する。
前記環状凹部５ｂを形成した防水ボルト５を用いる場合、シール材６は、自由状態においては防水ボルト５の環状凹部５ｂの深さよりも大きい厚みを有するものであることが好ましい。このシール材６の厚みは、少なくとも環状凹部５ｂに装着された場合であっても、装着された後、防水ボルト５の前記フランジ５ａに形成する縁部５ｄとパネル１０との間において、十分な防水機能を発揮するような自由状態での厚みに形成する必要がある。つまり、このような厚みを有するシール材６の機能としては、防水ボルト５のねじ締めにより、少なくともボルトの軸方向と同じ方向にシール材６が圧縮されてつぶれる状態でさえあれば、密閉作用によるシール性が十分に発揮されることになる。
【００３４】
（パネル）
パネル１０は、本実施形態では長方形状の面板を有するアルミハニカムパネルで形成した例で説明するが、本発明のパネル１０はアルミハニカムパネルに限定されるものではない。アルミハニカムパネルは、周知のように長方形状に形成された上面板と下面板との間に、フレーム材でその周囲を囲まれたハニカム状に形成されたコア材が配設されて構成されるものである（図１及び図２参照）。前記上面板と下面板のそれぞれが対向する面に接着材を塗布した後、これら上面板、下面板の間で、前記フレーム材及びコア材を圧着することにより各部材が接着されており、このようにして各部材が接着材により堅固に一体化されたアルミハニカムパネルとして形成されている。
【００３５】
また、上面板及び下面板とフレーム材との外周側の接続部分にはパッキンがそれぞれ図示のように装着されている。パネル１０の端部には、前記フレーム材に仕込まれた後記するプレートナット８に対して前記防水ボルト５のねじ部５ｃを挿通するための、図示しない取付用のボルト穴が形成されている。プレートナット８は、パネル１０の端部に配置した前記フレーム材の上部に設けた保持溝内における所定位置に予め固着されている（図２参照）。
【００３６】
（支持部材へのパネルの取り付け）
本実施形態における支持部材１へのパネル１０の取り付けについて説明する。
図１及び図２に示すように、支持部材１へパネル１０を取り付けるに際し、支持部材１に設けられたブラケット２に取付金具３の取付本体３ａをあてがい、取付金具３の取付穴に座金を介しボルト・ナット４を挿通して締め付けることで、支持部材１のブラケット２に取付金具３を固定する。本実施形態では一つのボルト・ナット４で取り付ける例を示しているが、二つ以上のボルト・ナット４で取り付けるようにしてもよい。
【００３７】
また、このとき、隣り合うパネル１０同士の端部を取り付ける箇所の支持部では、図示のようにブラケット２の両側面に取付金具３，３をあてがい、共通のボルト・ナット４で取り付ける。この場合、ボルト・ナット４の締め付けは、仮締め程度にし、後記するように、パネル１０との平行をとった後で本締めするとよい。なお、接続するパネルの支持において、一番端となるパネル１０の支持部では、パネル１０の一番端の端部のみを取付金具３で支持する。
【００３８】
一方、パネル１０は、地上又は載置台等の現場における足場のよい場所や防水ボルト５のねじ込み作業がしやすい場所に置いて、防水ボルト５の取り付けをするとよい。防水ボルト５の取り付けは、パネル１０のフレーム材に設けた保持溝の所定位置に予め回り止め用プレートを固着しておいたプレートナット８に、防水ボルト５，５をねじ込むことで行う。その際、シール材６を装着して防水ボルト５の下側のねじ部５ｃを、パネル１０に形成されていた取付用のボルト穴を通してねじ込むことにより、防水ボルト５，５をパネル１０側に確実に固定することができる。
【００３９】
その後、防水ボルト５，５を締着したパネル１０を取付け位置まで持ち上げ、支持部材１に取り付けた取付金具３，３の支持脚３ｂ，３ｂの各長穴に防水ボルト５，５の他側のねじ部５ｃ，５ｃを挿通する。しかる後、取付金具３の支持脚３ｂ，３ｂから突出するねじ部５ｃ，５ｃにナット７，７を螺着してパネル１０を支持部材１に支持させる。
【００４０】
（パネルの目地部及び支持部の防水）
支持部材１に支持させたパネル１０，１０端部で形成される目地部は、図示しないコーキングガン等により防水性を有するシーリング剤を塗布し、目地コーキング材１１を形成する。この場合、取付金具３，３下の目地部に対するシーリング剤の塗布作業は、各取付金具３に切欠き９，９が形成してあると、この切欠き９，９からコーキングガン等を挿入することによって容易に行うことができる。塗布するシーリング剤は、パネル１０，１０端部の前記したパッキンと同質の材料であるため、高い接着性を有し、パネルの目地部に対する防水性が高いものである。
【００４１】
（パネル内への防水）
また、本実施形態おけるパネル１０と取付金具３との間に使用する部品は、シール材６を装着した防水ボルト５のみであり、パネル１０自体に形成した支持穴であるボルト穴に対する防水は、防水ボルト５に装着するシール材６によって行うもので、最も少ない部品点数により達成できるようになっていることが、大きな特徴となっている。
【００４２】
パネル１０のフレーム材に固着したプレートナット８と防水ボルト５との固着は、前記したように、防水ボルト５のねじ部５ｃを挿通するためのボルト穴がフレーム材とパネル１０の上面板を貫通して形成されており、このボルト穴を通して防水ボルト５を固着するように構成されている。このため、従来では外部からの雨水がこのボルト穴を通ってパネル１０内に浸水すると、パネル１０の前記した各部材を接着した接着材に対して接着性能が低下するという問題が発生していた。
【００４３】
これに対して、本実施形態の防水構造では、前記したように、パネル１０に対して防水ボルト５のねじ込みを行った段階で、パネル１０のボルト穴に対するシール材６による防水施工が同時に完了する。防水ボルト５のねじ込みにより、防水ボルト５に装着したシール材６を圧縮変形させて、パネル１０の表面と防水ボルト５のフランジ５ａと間をシールするようになっている。本実施形態では、外部からの雨水の浸入経路は、防水ボルト５のフランジ５ａに形成した縁部５ｄとパネル１０の表面との間を伝わってボルト穴に浸入する経路だけとなっているが、図２の矢印で示すように、フランジ５ａが一体的に設けられているため、防水ボルト５自体には雨水が浸入する隙間は存在しない。つまり、パネル１０にシール材６を装着した防水ボルト５をしっかり取り付けると同時にパネル１０内が密閉空間となる。
【００４４】
パネル１０は、通常、現場に搬入するまでの段階では、パネル１０には、プレートナット８を所定位置に固着しただけの状態であり、ボルト穴は開口したままの状態である。支持部材１へのパネル１０の取付施工の作業に先立ち、このパネル１０に固着したプレートナット８に防水ボルト５をねじ込み固定した段階で、前記したように、パネル１０のボルト穴はシールされ、パネル１０内が密閉空間となるものである。
したがって、本実施形態のパネル支持構造によれば、取付施工途中の過程であっても、図５に示す従来例のように、ボルト・ナット１０４と防水ワッシャ１０５の内部を伝わって浸入するような隙間は、防水ボルト５をねじ込み固定した段階で存在しなくなるから、前記パネル１０のボルト穴に対する外部からの雨水の浸入を確実に防止することができるものである。
【図面の簡単な説明】
【００４５】
【図１】本発明に係るパネル支持具及びパネル支持構造を説明する斜視説明図である。
【図２】本発明に係るパネル支持具及びパネル支持構造の断面説明図である。
【図３】（ａ）は、本発明に係るパネル支持具における防水ボルトを示し、（ｂ）は、防水ボルトに配設するシール材の説明図である。（ｃ）は、防水ボルトにシール材を配設する説明図である。
【図４】従来のパネル支持構造の斜視説明図である。
【図５】従来のパネル支持構造の断面説明図である。
【符号の説明】
【００４６】
１      支持部材
２      ブラケット
３      取付金具
４      ボルト・ナット
５      防水ボルト
５ａ    フランジ
６      シール材
８      プレートナット
１０    パネル
１１    目地コーキング材
【図１】
0004778364.tif 000002
【図２】
0004778364.tif 000003
【図３】
0004778364.tif 000004
【図４】
0004778364.tif 000005
【図５】
0004778364.tif 000006